(57)【要約】      （修正有）【課題】角形状の鉛筆等の筆記具に簡単にはめこむことができ、必要に応じて先端部をカットし保持力、移動力を調整でき、又芯が折れたり減ったりしたときにグリップを容易に移動させ、鉛筆を削れるようにした筆記具用グリップを提供する。【解決手段】角形状の筆記具に嵌めこむ筆記具用グリップであって、円筒状の弾性体内側に、筆記具の山形部に接する接触部と、この接触部の後方に延び筆記具の山形部の外形より大きい非接触部とを設けた。【選択図】図１
0003232339.tif 000002
【実用新案登録請求の範囲】
【請求項１】
請求項１にかかる筆記具用グリップは、円筒状の弾性体内側に、筆記具の山形部に接する接触部と、この接触部に隣接して筆記具の山型の外形より大きい非接触部を設け、筆記時にグリップを保持し、さらに接触部を必要に応じてカットして保持力を軽減できることを特徴とする。グリップの全長を短くして接触部だけの形状にする事も出来る。
【請求項２】
請求項２にかかる筆記具用グリップは、円筒状の弾性体の内側に、複数の突状部を設けたことを特徴とするものである。
【考案の詳細な説明】
【技術分野】
【０００１】  本考案は、筆記具の外周に装着する移動可能なグリップに関するものである。
【背景技術】
【０００２】  従来から鉛筆は六角形が多く細く硬いために文字を書くのに力を必要とし、小学校低学年の児童では力を入れなくても濃く書ける４Ｂの鉛筆が主に使われている。それでも長時間使うと疲れ、又指に鉛筆の角が当たり、指に押し跡がついたり、痛みが生ずる場合もある。それを避けるために丸形鉛筆にするが、滑りやすい問題がある。
【先行技術】
【０００３】  従来からシャープペン、ボールペン等では持ち易く、又長時間使っても疲れにくい固定式グリップが装着されている。
【考案の概要】
【考案が解決しようとする課題】
【０００４】  例えば六角形の鉛筆は細く硬いために強く握らないと滑りやすく長時間使うと指に鉛筆の６角形の角の押し跡が付き、又疲れやすい。それを避けるため変則的な持ち方をする人もいる。従って、本考案の課題は、角形状の鉛筆等の筆記具に簡単にはめこむことができ、必要に応じて先端部をカットし保持力を軽減でき、又芯が折れたり減ったりしたときにグリップを容易に移動させ、鉛筆を削れるようにした筆記具用グリップを提供することにある。
【課題を解決するための手段】
【０００５】  上記課題を解決するため、請求項１にかかわる筆記具用グリップは、円筒状の弾性体内側に、筆記具の山形部に接する接触部と、この接触部に隣接して筆記具の山形部の外形より大きい非接触部を設け、接触部でグリップを保持すると共にこの接触部を必要に応じてカットして保持力を軽減できることを特徴とする。グリップの全長を短くして接触部だけの形状にする事も出来る。【０００６】  請求項２に係る筆記具用グリップは、円筒状の弾性体の内側に複数の突状部を設けることにより丸形の筆記具に保持できることを特徴とする。
【考案の効果】
【０００７】  請求項１の考案に係る筆記具用グリップは、筆記具に簡単にはめ込み、必要に応じて先端をカットして摩擦力を小さくし、保持力、移動力を調整出き、又長時間筆記しても疲れ難く、指に押跡が付かない。又外形を握りやすい形状、例えば三角形等の形状にして正しい持ち方を強制的に修正出来る。【０００８】  請求項２の考案にかかる筆記具用グリップは、内側に複数の突状部を設けることにより、丸形の鉛筆にも装着することができる。
【図面の簡単な説明】
【０００８】
【図１】本考案の一実施例の形態を示し、例えば筆記具として六角形状の鉛筆に装着した筆記具グリップの状態を示す図である。
【図２】図１に示す実施例の筆記具用グリップを装着した鉛筆の軸方向前方向からのＡ視拡大図であり、同図（ｂ）は軸方向後方からのＢ視拡大図を示す。
【図３】図１に示す本考案の筆記具用グリップの変形例を示す断面図である。
【図４】内側に突状部を設けたグリップを装着した他の実施例を示す断面図である
【考案を実施するための形態】
【０００９】  図１に示す本考案にかかる筆記具用グリップは、鉛筆の山形部に当たる接触部Ｌ１とこの接触部Ｌ１に隣接して鉛筆に接触しない非接触部Ｌ２を有する形状とし、接触部Ｌ１で鉛筆への保持力を持ち、軸方向に移動可能に構成した。また、グリップ１の鉛筆の先端方向の一部をカットすることで、グリップの保持力の強さを調整可能とした。
【実施例】
【００１０】  以下、添付図面に従って本考案の一実施例を説明する。図１は本考案の筆記具用グリップ１を例えば六角形の鉛筆２に装着した軸方向断面図を示している。本考案に係る筆記具用グリップ１は、ゴム或いは樹脂などの弾性体で円筒状に形成されている。上記筆記具用グリップ１を使用する際は、このグリップ１を鉛筆２の前方から嵌め込み使用する。【００１１】  図２は、上記筆記具用グリップ１を鉛筆２に嵌め込んだ状態の軸方向断面図を示している。図中Ｌ１は鉛筆２の山形型部と接触する接触部、Ｌ２はこの接触部Ｌ１の後方に延びた鉛筆２の山形部に接触しない非接触部であり、鉛筆に装着する際、嵌めやすい形状にさされている。即ち、この筆記具用グリップ１は、全長Ｌにわたり、鉛筆１の後方部にかけて全体にテーパを持つように形成される。【００１２】  接触部Ｌ１の内径は、鉛筆２の山形の外径より僅かに小さくすることで、鉛筆１の山形部と筆記具保持用グリップの接触部Ｌ１との間に摩擦力が生じ鉛筆上に保持できる。グリップ１を鉛筆の軸方向に力を加えることにより移動可能である。筆記時の弱い力では移動しない。【００１３】  筆記具保持用グリップ１の保持力を調整する際は、グリップ先端部を適度の幅、例えば１ミリメートル程度をハサミ等でカットして使用できる。保持力が強すぎて移動し難い場合はカット幅を大きくすれば良い。【００１４】  図２において、（ａ）は本考案の筆記具用グリップを装着した鉛筆をＡ方向から見た拡大図で、（ｂ）はＢ方向から見た拡大図である。【００１５】  図３は、前記図１に示した筆記具用グリップの変形例を示す軸方向断面図である。図１の実施例に示す全長Ｌの長さを短くし非接触部Ｌ２部をなくし、接触部Ｌ１のみを残して鉛筆２に装着した例を示す図である。【００１６】  前述の実施例では、六角形状の鉛筆に適用する例を示したが、六角形に限らず、三角形、四角角形や五角形、或いはそれ以上の角形を有する鉛筆に適用できることは言うまでもない。【００１７】  図４は、丸形鉛筆６に装着した本考案の筆記具用グリップ４の変形例を示す図である。図中、５は円筒状の筆記具用グリップ４の内側に設けた複数の突状部である。この突状部５の内径を丸形鉛筆６の直径より僅かに小さくして、丸形鉛筆６の表面に保持可能とする共に軸方向に力を加えることにより鉛筆６上を移動可能である。【００１８】  この突状部５の個数は、３個以上の任意の個数で良い。また突状部５は、筆記具用グリップ４の内側の全長に形成しても良く、或いは筆記具４の少なくとも使用者の指先で保持する部分だけに形成しても良い。
【符号の説明】
【００１９】１    筆記具用グリップ
２    鉛筆（筆記具）
Ｌ    筆記具用グリップの全長
Ｌ１  接触部
Ｌ２  非接触部
３    接触部のみのグリップ
４    丸形鉛筆用のグリップ
５    突状部
６    丸形鉛筆
【図１】
0003232339.tif 000003
【図２】
0003232339.tif 000004
【図３】
0003232339.tif 000005
【図４】
0003232339.tif 000006
【手続補正書】
【提出日】令和3年2月15日(2021.2.15)
【手続補正１】
【補正対象書類名】実用新案登録請求の範囲
【補正対象項目名】全文
【補正方法】変更
【補正の内容】
【実用新案登録請求の範囲】
【請求項１】
角形状の筆記具に嵌めこむ筆記具用グリップであって、円筒状の弾性体内側に、筆記具の山形部に接する接触部と、この接触部の後方に延び筆記具の山形部の外形より大きい非接触部とを設けたことを特徴とする筆記具用グリップ。
【請求項２】
円筒状の筆記具に嵌めこむ筆記具用グリップであって、円筒状の弾性体内側に、筆記具に接する複数の突状部を設けたことを特徴とする筆記具用グリップ。